(57)【要約】【課題】色バランスを簡易に調整することを可能とする投写型映像表示装置を提供する。【解決手段】投写型映像表示装置１００は、所定の基準色について色バランスパラメータが調整された複数の基準色サンプルを記憶するように構成された記憶部２２０と、複数の基準色サンプルのうち、複数の基準色サンプル候補を表示するように液晶パネル５０を制御するように構成された素子制御部２３０と、複数の基準色サンプル候補の中から選択された基準色サンプル候補に対応する色バランスパラメータに基づいて、投写面上に投写される映像の色バランスを調整するように構成された色バランス調整部２４０とを備える。【選択図】図２
2011112781.tif 000002
【特許請求の範囲】
【請求項１】
光源から出射される光を変調するように構成された光変調素子と、前記光変調素子から出射される光を投写面上に投写するように構成された投写ユニットとを有する投写型映像表示装置であって、
所定の基準色について色バランスパラメータが調整された複数の基準色サンプルを記憶するように構成された記憶部と、
前記複数の基準色サンプルのうち、複数の基準色サンプル候補を表示するように前記光変調素子を制御するように構成された素子制御部と、
前記複数の基準色サンプル候補の中から選択された基準色サンプル候補に対応する前記色バランスパラメータに基づいて、前記投写面上に投写される映像の色バランスを調整するように構成された色バランス調整部とを備えることを特徴とする投写型映像表示装置。
【請求項２】
前記投写面の色情報を取得する取得部をさらに備え、
前記色バランス調整部は、前記投写面の色情報に応じて、前記投写面上に投写される映像の色バランスを自動的に調整し、
前記素子制御部は、前記投写面上に投写される映像の色バランスを自動的に調整した後に、前記複数の基準色サンプル候補を表示するように前記光変調素子を制御することを特徴とする請求項１に記載の投写型映像表示装置。
【請求項３】
前記素子制御部は、前記投写面上に投写される映像の色バランスを自動的に調整する前の第１ホワイトポイントと、前記投写面上に投写される映像の色バランスを自動的に調整した後の第２ホワイトポイントとに基づいて、前記複数の基準色サンプル候補を選択することを特徴とする請求項２に記載の投写型映像表示装置。
【請求項４】
前記素子制御部は、前記複数の基準色サンプル候補に加えて、前記複数の基準色サンプル候補の中から選択された基準色サンプル候補に対応する前記色バランスパラメータを表示するように前記光変調素子を制御することを特徴とする請求項１に記載の投写型映像表示装置。
【請求項５】
前記素子制御部は、前記投写面において前記複数の基準色サンプル候補が表示される位置を移動するように前記光変調素子を制御することを特徴とする請求項１に記載の投写型映像表示装置。
【請求項６】
前記素子制御部は、前記複数の基準色サンプル候補に加えて、前記複数の基準色サンプル候補に対応する前記色バランスパラメータを有する複数の映像サンプル候補を表示するように前記光変調素子を制御することを特徴とする請求項１に記載の投写型映像表示装置。
【発明の詳細な説明】
【技術分野】
【０００１】
本発明は、光源から出射される光を変調するように構成された光変調素子と、光変調素子から出射される光を投写面上に投写するように構成された投写ユニットとを有する投写型映像表示装置に関する。
【背景技術】
【０００２】
従来、光源から出射される光を変調する光変調素子と、光変調素子から出射される光を投写面上に投写する投写ユニットとを備える投写型映像表示装置が知られている。一般的に、投写型映像表示装置では、複数色の色成分光（例えば、赤成分光、緑成分光及び青成分光）が用いられる。
【０００３】
ここで、投写面が白色ではないような場合に、投写面に投写される映像の色バランスを調整する必要がある。これに対して、投写面の色情報に基づいて、映像信号の変換処理を行うことによって、投写面に投写される映像の色バランスを調整する技術が提案されている（例えば、特許文献１）。
【先行技術文献】
【特許文献】
【０００４】
【特許文献１】特開２００３−３２３６１０号公報
【発明の概要】
【発明が解決しようとする課題】
【０００５】
ところで、投写面に投写される映像の色バランスの嗜好性はユーザ毎に異なるため、投写面に投写される映像の色バランスをユーザ操作によって調整したいというニーズがある。しかしながら、色バランスを調整するユーザ操作は煩雑であり、ユーザの利便性の向上が望まれている。
【０００６】
そこで、本発明は、上述した課題を解決するためになされたものであり、色バランスを簡易に調整することを可能とする投写型映像表示装置を提供することを目的とする。
【課題を解決するための手段】
【０００７】
第１の特徴に係る投写型映像表示装置は、光源（白色光源１０）から出射される光を変調するように構成された光変調素子（液晶パネル５０）と、前記光変調素子から出射される光を投写面上に投写するように構成された投写ユニット（投写ユニット１１０）とを有する。投写型映像表示装置は、所定の基準色について色バランスパラメータが調整された複数の基準色サンプルを記憶するように構成された記憶部（記憶部２２０）と、前記複数の基準色サンプルのうち、複数の基準色サンプル候補を表示するように前記光変調素子を制御するように構成された素子制御部（素子制御部２３０）と、前記複数の基準色サンプル候補の中から選択された基準色サンプル候補に対応する前記色バランスパラメータに基づいて、前記投写面上に投写される映像の色バランスを調整するように構成された色バランス調整部（色バランス調整部２４０）とを備える。
【０００８】
第１の特徴において、投写型映像表示装置は、前記投写面の色情報を取得する取得部（取得部２５０）をさらに備える。前記色バランス調整部は、前記投写面の色情報に応じて、前記投写面上に投写される映像の色バランスを自動的に調整する。前記素子制御部は、前記投写面上に投写される映像の色バランスを自動的に調整した後に、前記複数の基準色サンプル候補を表示するように前記光変調素子を制御する。
【０００９】
第１の特徴において、前記素子制御部は、前記投写面上に投写される映像の色バランスを自動的に調整する前の第１ホワイトポイントと、前記投写面上に投写される映像の色バランスを自動的に調整した後の第２ホワイトポイントとに基づいて、前記複数の基準色サンプル候補を選択する。
【００１０】
第１の特徴において、前記素子制御部は、前記複数の基準色サンプル候補に加えて、前記複数の基準色サンプル候補の中から選択された基準色サンプル候補に対応する前記色バランスパラメータを表示するように前記光変調素子を制御する。
【００１１】
第１の特徴において、前記素子制御部は、前記投写面において前記複数の基準色サンプル候補が表示される位置を移動するように前記光変調素子を制御する。
【００１２】
第１の特徴において、前記素子制御部は、前記複数の基準色サンプル候補に加えて、前記複数の基準色サンプル候補に対応する前記色バランスパラメータを有する複数の映像サンプル候補を表示するように前記光変調素子を制御する。
【発明の効果】
【００１３】
本発明によれば、色バランスを簡易に調整することを可能とする投写型映像表示装置を提供することができる。
【図面の簡単な説明】
【００１４】
【図１】第１実施形態に係る投写型映像表示装置１００を示す図である。
【図２】第１実施形態に係る制御ユニット２００を示すブロック図である。
【図３】変更例１に係る制御ユニット２００を示すブロック図である。
【図４】変更例１に係る色度図を示す図である。
【図５】変更例１に係る複数の基準色サンプル候補の選択／表示方法を説明するための図である。
【図６】変更例１に係る複数の基準色サンプル候補の選択／表示方法を説明するための図である。
【図７】変更例１に係る複数の基準色サンプル候補の選択／表示方法を説明するための図である。
【図８】変更例１に係る複数の基準色サンプル候補の選択／表示方法を説明するための図である。
【図９】変更例１に係る複数の基準色サンプル候補の選択／表示方法を説明するための図である。
【図１０】変更例２に係る複数の基準色サンプル候補の表示方法を説明するための図である。
【図１１】変更例２に係る複数の基準色サンプル候補の表示方法を説明するための図である。
【図１２】変更例３に係る複数の基準色サンプル候補の表示方法を説明するための図である。
【図１３】変更例３に係る複数の基準色サンプル候補の表示方法を説明するための図である。
【図１４】変更例３に係る複数の基準色サンプル候補の表示方法を説明するための図である。
【図１５】変更例４に係る複数の基準色サンプル候補の表示方法を説明するための図である。
【発明を実施するための形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る投写型映像表示装置は、光源から出射される光を変調するように構成された光変調素子と、前記光変調素子から出射される光を投写面上に投写するように構成された投写ユニットとを有する。投写型映像表示装置は、所定の基準色について色バランスパラメータが調整された複数の基準色サンプルを記憶するように構成された記憶部と、複数の基準色サンプルのうち、複数の基準色サンプル候補を表示するように光変調素子を制御するように構成された素子制御部と、複数の基準色サンプル候補の中から選択された基準色サンプル候補に対応する色バランスパラメータに基づいて、投写面上に投写される映像の色バランスを調整するように構成された色バランス調整部とを備える。
【００１８】
実施形態では、素子制御部は、所定の基準色について色バランスパラメータが調整された複数の基準色サンプル候補を表示するように光変調素子を制御する。従って、ユーザは、複数の基準色サンプル候補の中から所望の基準色サンプル候補を選択するだけで、所望の色バランスを指定することができ、ユーザの利便性が向上する。
【００１９】
［第１実施形態］
（投写型映像表示装置の構成）
以下において、第１実施形態に係る投写型映像表示装置について、図面を参照しながら説明する。図１は、第１実施形態に係る投写型映像表示装置１００の構成を示す図である。
【００２０】
図１に示すように、投写型映像表示装置１００は、投写ユニット１１０と、照明装置１２０とを有する。
【００２１】
投写ユニット１１０は、照明装置１２０から出射された映像光を投写面（不図示）上などに投写する。
【００２２】
第１に、照明装置１２０は、白色光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ及び液晶パネル５０Ｂ）と、クロスダイクロイックプリズム６０とを有する。
【００２３】
白色光源１０は、白色光を発する光源（例えば、ＵＨＰランプやキセノンランプ）などである。すなわち、白色光源１０が発する白色光は、赤成分光Ｒ、緑成分光Ｇ及び青成分光Ｂを含む。
【００２４】
ＵＶ／ＩＲカットフィルタ２０は、可視光成分（赤成分光Ｒ、緑成分光Ｇ及び青成分光Ｂ）を透過する。ＵＶ／ＩＲカットフィルタ２０は、赤外光成分や紫外光成分を遮光する。
【００２５】
フライアイレンズユニット３０は、白色光源１０が発する光を均一化する。具体的には、フライアイレンズユニット３０は、フライアイレンズ３１及びフライアイレンズ３２によって構成される。フライアイレンズ３１及びフライアイレンズ３２は、それぞれ、複数の微少レンズによって構成される。各微少レンズは、白色光源１０が発する光が液晶パネル５０の全面に照射されるように、白色光源１０が発する光を集光する。
【００２６】
ＰＢＳアレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００２７】
液晶パネル５０Ｒは、赤出力信号Ｒｏｕｔに基づいて赤成分光Ｒを変調する。液晶パネル５０Ｒに光が入射する側には、一の偏光方向（例えば、Ｓ偏光）を有する光を透過して、他の偏光方向（例えば、Ｐ偏光）を有する光を遮光する入射側偏光板５２Ｒが設けられている。液晶パネル５０Ｒから光が出射する側には、一の偏光方向（例えば、Ｓ偏光）を有する光を遮光して、他の偏光方向（例えば、Ｐ偏光）を有する光を透過する出射側偏光板５３Ｒが設けられている。
【００２８】
液晶パネル５０Ｇは、緑出力信号Ｇｏｕｔに基づいて緑成分光Ｇを変調する。液晶パネル５０Ｇに光が入射する側には、一の偏光方向（例えば、Ｓ偏光）を有する光を透過して、他の偏光方向（例えば、Ｐ偏光）を有する光を遮光する入射側偏光板５２Ｇが設けられる。一方で、液晶パネル５０Ｇから光が出射する側には、一の偏光方向（例えば、Ｓ偏光）を有する光を遮光して、他の偏光方向（例えば、Ｐ偏光）を有する光を透過する出射側偏光板５３Ｇが設けられる。
【００２９】
液晶パネル５０Ｂは、青出力信号Ｂｏｕｔに基づいて青成分光Ｂを変調する。液晶パネル５０Ｂに光が入射する側には、一の偏光方向（例えば、Ｓ偏光）を有する光を透過して、他の偏光方向（例えば、Ｐ偏光）を有する光を遮光する入射側偏光板５２Ｂが設けられる。一方で、液晶パネル５０Ｂから光が出射する側には、一の偏光方向（例えば、Ｓ偏光）を有する光を遮光して、他の偏光方向（例えば、Ｐ偏光）を有する光を透過する出射側偏光板５３Ｂが設けられる。
【００３０】
なお、赤出力信号Ｒｏｕｔ、緑出力信号Ｇｏｕｔ及び青出力信号Ｂｏｕｔは、映像出力信号を構成する。映像出力信号は、１フレームを構成する複数の画素毎の信号である。
【００３１】
ここで、各液晶パネル５０には、コントラスト比や透過率を向上させる補償板（不図示）が設けられていてもよい。また、各偏光板は、偏光板に入射する光の光量や熱負担を軽減させるプリ偏光板を有していてもよい。
【００３２】
クロスダイクロイックプリズム６０は、液晶パネル５０Ｒ、液晶パネル５０Ｇ及び液晶パネル５０Ｂから出射される光を合成する色合成部を構成する。クロスダイクロイックプリズム６０から出射された合成光は、投写ユニット１１０に導かれる。
【００３３】
第２に、照明装置１２０は、ミラー群（ミラー７１〜ミラー７６）及びレンズ群（レンズ８１〜レンズ８５）を有する。
【００３４】
ミラー７１は、青成分光Ｂを透過して、赤成分光Ｒ及び緑成分光Ｇを反射するダイクロイックミラーである。ミラー７２は、赤成分光Ｒを透過して、緑成分光Ｇを反射するダイクロイックミラーである。ミラー７１及びミラー７２は、赤成分光Ｒ、緑成分光Ｇ及び青成分光Ｂを分離する色分離部を構成する。
【００３５】
ミラー７３は、赤成分光Ｒ、緑成分光Ｇ及び青成分光Ｂを反射して、赤成分光Ｒ、緑成分光Ｇ及び青成分光Ｂをミラー７１側に導く。ミラー７４は、青成分光Ｂを反射して、青成分光Ｂを液晶パネル５０Ｂ側に導く。ミラー７５及びミラー７６は、赤成分光Ｒを反射して、赤成分光Ｒを液晶パネル５０Ｒ側に導く。
【００３６】
レンズ８１は、ＰＢＳアレイ４０から出射された光を集光するコンデンサレンズである。レンズ８２は、ミラー７３で反射された光を集光するコンデンサレンズである。
【００３７】
レンズ８３Ｒは、液晶パネル５０Ｒに赤成分光Ｒが照射されるように、赤成分光Ｒを略平行光化する。レンズ８３Ｇは、液晶パネル５０Ｇに緑成分光Ｇが照射されるように、緑成分光Ｇを略平行光化する。レンズ８３Ｂは、液晶パネル５０Ｂに青成分光Ｂが照射されるように、青成分光Ｂを略平行光化する。
【００３８】
レンズ８４及びレンズ８５は、赤成分光Ｒの拡大を抑制しながら、液晶パネル５０Ｒ上に赤成分光Ｒを略結像するリレーレンズである。
【００３９】
（制御ユニットの構成）
以下において、第１実施形態に係る制御ユニットについて、図面を参照しながら説明する。図２は、第１実施形態に係る制御ユニット２００を示すブロック図である。制御ユニット２００は、投写型映像表示装置１００に設けられており、投写型映像表示装置１００を制御する。
【００４０】
なお、制御ユニット２００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する複数の画素毎に入力される信号である。
【００４１】
図２に示すように、制御ユニット２００は、映像信号受付部２１０と、記憶部２２０と、素子制御部２３０と、色バランス調整部２４０とを有する。
【００４２】
映像信号受付部２１０は、ＤＶＤやＴＶチューナなどの外部装置（不図示）から映像入力信号を受付ける。
【００４３】
記憶部２２０は、所定の基準色について色バランスパラメータが調整された複数の基準色サンプルを記憶する。所定の基準色は、例えば、白色又は肌色などである。色バランスパラメータは、例えば、赤、青及び緑のバランスを調整するためのパラメータである。色バランスパラメータは、例えば、映像入力信号を映像出力信号に変換する際に、赤入力信号Ｒｉｎ、緑入力信号Ｇｉｎ及び青入力信号Ｂｉｎのそれぞれに乗算すべき係数である。
【００４４】
なお、実施形態では、説明を明確にするために、「基準色サンプル」という用語を用いているが、実際には、「基準色サンプル」は、例えば、基準色サンプルを構成する映像信号（赤信号、緑信号及び青信号）である。
【００４５】
素子制御部２３０は、映像入力信号を映像出力信号に変換して、映像出力信号に基づいて、液晶パネル５０を制御する。また、素子制御部２３０は、基準色サンプルを構成する映像信号（赤信号、緑信号及び青信号）に基づいて、複数の基準色サンプルのうち、複数の基準色サンプル候補を表示するように液晶パネル５０を制御する。
【００４６】
色バランス調整部２４０は、複数の基準色サンプル候補の中から選択された基準色サンプル候補に対応する色バランスパラメータに基づいて、投写面上に投写される映像の色バランスを調整する。
【００４７】
具体的には、色バランス調整部２４０は、投写面上に表示される複数の基準色サンプル候補の中から、リモートコントローラなどのユーザインタフェースを用いてユーザが選択する基準色サンプル候補を特定する。続いて、色バランス調整部２４０は、特定された基準色サンプル候補に対応する色バランスパラメータに基づいて、投写面上に投写される映像の色バランスを調整する。
【００４８】
例えば、色バランスパラメータが、赤入力信号Ｒｉｎ、緑入力信号Ｇｉｎ及び青入力信号Ｂｉｎのそれぞれに乗算すべき係数である場合には、色バランス調整部２４０は、複数の基準色サンプル候補の中から選択された基準色サンプル候補に対応する色バランスパラメータを素子制御部２３０に出力する。素子制御部２３０は、赤入力信号Ｒｉｎ、緑入力信号Ｇｉｎ及び青入力信号Ｂｉｎのそれぞれに色バランスパラメータを乗算することによって、映像入力信号を映像出力信号に変換する。このようなケースでは、色バランス調整部２４０が素子制御部２３０に設けられると考えてもよい。
【００４９】
（作用及び効果）
第１実施形態では、素子制御部２３０は、所定の基準色について色バランスパラメータが調整された複数の基準色サンプル候補を表示するように液晶パネル５０を制御する。従って、ユーザは、複数の基準色サンプル候補の中から所望の基準色サンプル候補を選択するだけで、所望の色バランスを指定することができ、ユーザの利便性が向上する。
【００５０】
［変更例１］
以下において、第１実施形態の変更例１について、図面を参照しながら説明する。以下においては、第１実施形態との相違点について主として説明する。
【００５１】
具体的には、変更例１では、投写型映像表示装置１００は、投写面上に投写される映像の色バランスを自動的に調整する機能（自動調整機能）を有する。
【００５２】
（制御ユニットの構成）
以下において、変更例１に係る制御ユニットについて、図面を参照しながら説明する。図３は、変更例１に係る制御ユニット２００を示すブロック図である。制御ユニット２００は、投写型映像表示装置１００に設けられており、投写型映像表示装置１００を制御する。
【００５３】
図３に示すように、制御ユニット２００は、図２に示す構成に加えて、取得部２５０を有する。
【００５４】
取得部２５０は、投写面の色情報を取得する。具体的には、取得部２５０は、投写面を撮像する撮像装置３００に接続されており、撮像装置３００によって撮像された画像に基づいて、投写面の色情報を取得する。
【００５５】
なお、取得部２５０は、ユーザインタフェースなどに接続されており、ユーザによって入力された投写面の色情報を取得してもよい。
【００５６】
上述した色バランス調整部２４０は、投写面の色情報に基づいて、投写面上に投写される映像の色バランスを自動的に調整する。具体的には、色バランス調整部２４０は、投写面の色情報によって特定される投写面の色の光量を減算することによって、色バランスを自動的に調整する。或いは、色バランス調整部２４０は、投写面の色情報によって特定される投写面の色に対する補色の光量を加算することによって、色バランスを自動的に調整する。
【００５７】
上述した素子制御部２３０は、色バランスの自動調整後において、複数の基準色サンプルのうち、複数の基準色サンプル候補を表示するように液晶パネル５０を制御する。ここで、素子制御部２３０は、色バランスの自動調整前の第１ホワイトポイントと、色バランスの自動調整後の第２ホワイトポイントとに基づいて、複数の基準色サンプルの中から、複数の基準色サンプル候補を選択する。
【００５８】
（基準色サンプル候補の選択／表示方法）
以下において、変更例１に係る基準色サンプル候補の選択／表示方法について、図面を参照しながら説明する。図４は、第１実施形態に係る色度図を示す図である。なお、図４では、色度図の外周は、色相を示しており、ホワイトポイント（ｗ１又はｗ２）からの距離は、彩度を示している。
【００５９】
図４に示すように、色バランスの自動調整によって、色バランスの自動調整後の第２ホワイトポイント（ｗ２）は、色バランスの自動調整前の第１ホワイトポイント（ｗ１）とは異なった位置になる。
【００６０】
上述したように、素子制御部２３０は、第１ホワイトポイント（ｗ１）と第２ホワイトポイント（ｗ２）とに基づいて、複数の基準色サンプルの中から、複数の基準色サンプル候補を選択する。
【００６１】
例えば、基準サンプル候補の選択／表示方法としては、例えば、以下の２通りの方法が考えられる。
【００６２】
第１に、選択/表示方法（１）について説明する。選択/表示方法（１）において、素子制御部２３０は、第１ホワイトポイント（ｗ１）と第２ホワイトポイント（ｗ２）とを結ぶ直線Ｌ１に沿った色を有する複数の基準色サンプル候補を選択する。
【００６３】
第１ステップにおいて、素子制御部２３０は、直線Ｌ１に沿った色を有する複数の基準色サンプル候補を表示するように液晶パネル５０を制御する。すなわち、図５に示すように、図４に示す直線Ｌ１に沿った色を有する複数の基準色サンプル候補が投写面に表示される。
【００６４】
例えば、候補（０，０）は、第２ホワイトポイント（ｗ２）と同じ色を有する基準色サンプル候補である。候補（−１，０）、（−２，０）、（−３，０）は、第２ホワイトポイント（ｗ２）から直線Ｌ１に沿ってＡ方向に設けられる色を有する基準色サンプル候補である。一方で、候補（１，０）、（２，０）、（３，０）は、第２ホワイトポイント（ｗ２）から直線Ｌ１に沿ってＢ方向に設けられる色を有する基準色サンプル候補である。
【００６５】
第２ステップにおいて、図６に示すように、ユーザは、リモートコントローラなどのユーザインタフェースを用いて、投写面に表示される複数の基準色サンプル候補の中から、所望の基準色サンプル候補を選択する。例えば、ユーザは、所望の基準サンプル候補として候補（−１，０）を選択する。
【００６６】
第３ステップにおいて、素子制御部２３０は、ユーザによって選択された基準サンプル候補が中心となるように、複数の基準色サンプル候補の表示を切り替える。すなわち、図７に示すように、ユーザによって選択された基準サンプル候補を中心として、複数の基準色サンプル候補が投写面に表示される。
【００６７】
第２に、選択/表示方法（２）について説明する。選択/表示方法（２）において、素子制御部２３０は、第１ホワイトポイント（ｗ１）と第２ホワイトポイント（ｗ２）とを結ぶ直線Ｌ１及び直線Ｌ１の法線（以下、直線Ｌ２）に沿った色を有する複数の基準色サンプル候補を選択する。
【００６８】
第１ステップにおいて、素子制御部２３０は、直線Ｌ１及び直線Ｌ２に沿った色を有する複数の基準色サンプル候補を表示するように液晶パネル５０を制御する。すなわち、図８に示すように、図４に示す直線Ｌ１及び直線Ｌ２に沿った色を有する複数の基準色サンプル候補が投写面に表示される。
【００６９】
例えば、候補（０，０）、（−１，０）、（−２，０）、（−３，０）、（１，０）、（２，０）、（３，０）については、選択/表示方法（１）と同様である。候補（０，−１）、（０，−２）、（０，−３）は、第２ホワイトポイント（ｗ２）から直線Ｌ２に沿ってＣ方向に設けられる色を有する基準色サンプル候補である。一方で、候補（０，１）、（０，２）、（０，３）は、第２ホワイトポイント（ｗ２）から直線Ｌ２に沿ってＤ方向に設けられる色を有する基準色サンプル候補である。
【００７０】
第２ステップにおいて、ユーザは、リモートコントローラなどのユーザインタフェースを用いて、投写面に表示される複数の基準色サンプル候補の中から、所望の基準色サンプル候補を選択する。例えば、ユーザは、所望の基準サンプル候補として候補（−１，０）を選択する。
【００７１】
第３ステップにおいて、素子制御部２３０は、ユーザによって選択された基準サンプル候補が中心となるように、複数の基準色サンプル候補の表示を切り替える。すなわち、図９に示すように、ユーザによって選択された基準サンプル候補を中心として、複数の基準色サンプル候補が投写面に表示される。
【００７２】
（作用及び効果）
変更例１では、素子制御部２３０は、色バランスの自動調整後において、複数の基準色サンプル候補を表示するように液晶パネル５０を制御する。すなわち、色バランスの自動調整によって、複数の基準色サンプル候補が絞り込まれるため、ユーザの利便性がさらに向上する。
【００７３】
変更例１では、素子制御部２３０は、第１ホワイトポイント（ｗ１）と第２ホワイトポイント（ｗ２）とに基づいて、複数の基準色サンプルの中から、複数の基準色サンプル候補を選択する。すなわち、色バランスの自動調整後において、適切な基準色サンプル候補が投写面に表示されるため、ユーザの利便性がさらに向上する。
【００７４】
［変更例２］
以下において、第１実施形態の変更例２について、図面を参照しながら説明する。以下においては、第１実施形態との差異について主として説明する。
【００７５】
具体的には、変更例２では、投写型映像表示装置１００（素子制御部２３０）は、複数の基準色サンプル候補の中から選択された基準色サンプル候補に対応する色バランスパラメータを表示するように液晶パネル５０を制御する。
【００７６】
例えば、色バランスパラメータは、赤、青及び緑のレベルを示すパラメータであるケースについて例示する。
【００７７】
第１に、初期段階において、複数の基準色サンプル候補が表示されるケースについて説明する。ここでは、候補（０，０）が初期候補であるケースについて説明する。
【００７８】
図１０に示すように、複数の基準色サンプル候補として、候補（０，０）、（−１，０）、（−２，０）、（−３，０）、（１，０）、（２，０）、（３，０）が投写面に表示されている。ここでは、候補（０，０）が初期候補であるため、候補（０，０）が中心に表示されており、候補（０，０）に対応する色バランスパラメータが投写面に表示される。
【００７９】
第２に、基準色サンプル候補がユーザによって選択されるケースについて説明する。ここでは、候補（−１，０）がユーザによって選択されるケースについて説明する。
【００８０】
図１１に示すように、複数の基準色サンプル候補として、候補（０，０）、（−１，０）、（−２，０）、（−３，０）、（−４，０）、（１，０）、（２，０）が投写面に表示されている。ここでは、候補（−１，０）がユーザによって選択されるため、候補（−１，０）が中心に表示されており、候補（−１，０）に対応する色バランスパラメータが投写面に表示される。
【００８１】
例えば、投写面に表示される色バランスパラメータは、リモートコントローラなどのユーザインタフェースを用いて手動で色バランスを調整する際に参照される。
【００８２】
（作用及び効果）
変更例２では、素子制御部２３０は、複数の基準色サンプル候補の中から選択された基準色サンプル候補に対応する色バランスパラメータを表示するように液晶パネル５０を制御する。従って、ユーザインタフェースを用いて手動で色バランスを調整する際に、投写面に表示される色バランスパラメータをユーザが参照することができ、ユーザの利便性がさらに向上する。
【００８３】
［変更例３］
以下において、第１実施形態の変更例３について、図面を参照しながら説明する。以下においては、第１実施形態との差異について主として説明する。
【００８４】
具体的には、変更例３では、投写型映像表示装置１００（素子制御部２３０）は、投写面において複数の基準色サンプル候補が表示される位置を移動するように液晶パネル５０を制御する。
【００８５】
例えば、図１２に示すように、初期設定において、複数の基準色サンプル候補が投写面の中段に表示されるケースについて説明する。
【００８６】
このようなケースにおいて、図１３に示すように、リモートコントローラなどのユーザインタフェースを用いて“上”が指示されると、投写面において複数の基準色サンプル候補が表示される位置が上段に移動する。或いは、図１４に示すように、リモートコントローラなどのユーザインタフェースを用いて“下”が指示されると、投写面において複数の基準色サンプル候補が表示される位置が下段に移動する。
【００８７】
（作用及び効果）
変更例３では、素子制御部２３０は、投写面において複数の基準色サンプル候補が表示される位置を移動するように液晶パネル５０を制御する。従って、投写面が部分的に汚れているような場合であっても、投写面において、汚れていない部分に複数の基準色サンプル候補を表示することができる。
【００８８】
［変更例４］
以下において、第１実施形態の変更例４について、図面を参照しながら説明する。以下においては、第１実施形態との差異について主として説明する。
【００８９】
具体的には、変更例４では、投写型映像表示装置１００（素子制御部２３０）は、複数の基準色サンプル候補に加えて、複数の基準色サンプル候補に対応する色バランスパラメータを有する複数の映像サンプル候補を表示するように液晶パネル５０を制御する。
【００９０】
例えば、図１５に示すように、複数の基準色サンプル候補に加えて、複数の基準色サンプル候補に対応する色バランスパラメータを有する複数の映像サンプル候補が投写面上に表示される。
【００９１】
ここでは、候補（０，０）、（−１，０）、（−２，０）、（１，０）、（２，０）に対応する基準色サンプル候補及び映像サンプル候補が投写面上に表示される。基準色サンプル候補及び映像サンプル候補は、候補（０，０）、（−１，０）、（−２，０）、（１，０）、（２，０）のそれぞれの色バランスパラメータを有する。
【００９２】
なお、映像サンプル候補は、任意の映像でよい。また、映像サンプル候補は、静止画像であってもよく、動画像であってもよい。また、映像サンプル候補は、投写型映像表示装置１００によって表示する映像に応じて使い分けられることが好ましい。
【００９３】
（作用及び効果）
素子制御部２３０は、複数の基準色サンプル候補に加えて、複数の基準色サンプル候補に対応する色バランスパラメータを有する複数の映像サンプル候補を表示するように液晶パネル５０を制御する。従って、投写型映像表示装置１００によって表示する映像に適した色バランスを選択しやすくなる。
【００９４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９５】
上述した実施形態では、光変調素子として、透過型液晶パネルを例示した。しかしながら、実施形態は、これに限定されるものではない。例えば、光変調素子は、反射型液晶パネルであってもよく、ＤＭＤ（Ｄｉｇｉｔａｌ  Ｍｉｃｒｏｍｉｒｒｏｒ  Ｄｅｖｉｃｅ）であってもよい。
【００９６】
上述した実施形態では、色バランス調整部２４０は、映像信号の変換によって、色バランスを調整するケースについて例示した。しかしながら、実施形態は、これに限定されるものではない。例えば、色バランス調整部２４０は、光源から出射される光量の制御によって、色バランスを調整してもよい。
【００９７】
上述した実施形態では、光源として、白色光源１０を例に挙げて説明した。しかしながら、実施形態は、これに限定されるものではない。光源は、ＬＥＤやＬＤなどの固体光源であってもよい。
【００９８】
上述した実施形態では、３板式の投写型映像表示装置について例示した。しかしながら、実施形態は、これに限定されるものではない。投写型映像表示装置は、単板式であってもよい。
【符号の説明】
【００９９】
１０…白色光源、２０…ＵＶ／ＩＲカットフィルタ、３０…フライアイレンズユニット、４０…ＰＢＳアレイ、５０…液晶パネル、５２、５３…偏光板、６０…クロスダイクロイックキューブ、７１〜７６…ミラー、８１〜８５…レンズ、１００…投写型映像表示装置、１１０…投写ユニット、１２０…照明ユニット、２００…制御ユニット、２１０…映像信号受付部、２２０…記憶部、２３０…素子制御部、２４０…色バランス調整部、２５０…取得部、３００…撮像装置
【図１】
2011112781.tif 000003
【図２】
2011112781.tif 000004
【図３】
2011112781.tif 000005
【図４】
2011112781.tif 000006
【図５】
2011112781.tif 000007
【図６】
2011112781.tif 000008
【図７】
2011112781.tif 000009
【図８】
2011112781.tif 000010
【図９】
2011112781.tif 000011
【図１０】
2011112781.tif 000012
【図１１】
2011112781.tif 000013
【図１２】
2011112781.tif 000014
【図１３】
2011112781.tif 000015
【図１４】
2011112781.tif 000016
【図１５】
2011112781.tif 000017